(57)【要約】【課題】  ＲＦＩＤタグ取付具において、複数のＲＦＩＤタグを取付可能で、取付汎用性に優れると共に小型化を可能にすること。【解決手段】  互いに突き合わせた状態で固定可能な一対の分割部材２Ａ、２Ｂと、一対の分割部材２Ａ、２Ｂのそれぞれの突き合わせ面３に形成されＲＦＩＤタグが挿入可能で分割部材２Ａ、２Ｂを突き合わせた状態でＲＦＩＤタグを収納可能な複数の収納穴５ａ〜５ｃとを備えている。これにより、一対の分割部材２Ａ、２Ｂの中に複数のＲＦＩＤタグの収納が可能になり、全体的を小型化することが可能である。【選択図】  図１
2008146125.tif 000002
【特許請求の範囲】
【請求項１】
互いに突き合わせた状態で固定可能な一対の分割部材と、
前記一対の分割部材のそれぞれの突き合わせ面に形成されＲＦＩＤタグが挿入可能で前記分割部材を突き合わせた状態で前記ＲＦＩＤタグを収納可能な複数の収納穴とを備えていることを特徴とするＲＦＩＤタグ取付具。
【請求項２】
請求項１記載のＲＦＩＤタグ取付具において、
複数の前記収納穴が、それぞれ異なる形状のＲＦＩＤタグを収納可能であることを特徴とするＲＦＩＤタグ取付具。
【請求項３】
請求項１又は２記載のＲＦＩＤタグ取付具において、
複数の前記収納穴のうち、少なくとも一つがコイン型ＲＦＩＤタグを収納可能であると共に、少なくとも他の一つがスティック型ＲＦＩＤタグを収納可能であることを特徴とするＲＦＩＤタグ取付具。
【請求項４】
請求項１から３のいずれか一項に記載のＲＦＩＤタグ取付具において、
前記分割部材の表面から前記収納穴に貫通する確認孔を備えていることを特徴とするＲＦＩＤタグ取付具。
【請求項５】
請求項１から４のいずれか一項に記載のＲＦＩＤタグ取付具において、
前記一対の分割部材が、突き合わせた状態で上下面の少なくとも一方が平面になっていることを特徴とするＲＦＩＤタグ取付具。
【請求項６】
請求項１から５のいずれか一項に記載のＲＦＩＤタグ取付具において、
前記一対の分割部材が、ゴム材で形成されていることを特徴とするＲＦＩＤタグ取付具。
【請求項７】
請求項６に記載のＲＦＩＤタグ取付具において、
前記ゴム材に、金属粉が混入されていることを特徴とするＲＦＩＤタグ取付具。
【発明の詳細な説明】
【技術分野】
【０００１】
本発明は、実装されたＩＣチップに対して非接触でデータの読み書きが可能なＲＦＩＤ（Radio Frequency Identification）タグの取付具に関する。
【背景技術】
【０００２】
近年、微小な無線チップにより人や物を識別すると共に管理するＲＦＩＤ技術を用いたシステムが注目されている。このＲＦＩＤシステムでは、商品等に貼付したＲＦＩＤタグにデータを記憶させておき、無線によりＲＦＩＤリーダ／ライタ又はリーダで更新することで商品等の識別及び情報を自動的に認識して管理するものである。このＲＦＩＤシステムは、製造、販売、物流又は貸与サービス等において、ＲＦＩＤタグを取り付けた物や人等の所在やＩＤ等の情報を検出してその移動等を管理することに広く採用されつつある。このＲＦＩＤタグは、ラベル型、コイン型、シート型、スティック型等の任意の形状であり、用途に応じて使用されている。
【０００３】
上記ＲＦＩＤタグは、専用の取付具により対応する商品等に取り付けられるが、用途によっては複数のＲＦＩＤタグを一つの取付具で取り付けるものも開発されている。例えば、特許文献１では、複数のデータキャリア（ＲＦＩＤタグ）が取付可能なデータキャリア付き腕時計が提案されている。このデータキャリア付き腕時計では、スティック型（棒状）のデータキャリア及びコイン型（円盤状）のデータキャリアのいずれか一方又は両方を取付可能になっている。
【０００４】
【特許文献１】特開２００１−４２０６８号公報（図１０）
【発明の開示】
【発明が解決しようとする課題】
【０００５】
しかしながら、上記従来の技術には、以下の課題が残されていた。
特許文献１に記載されているＲＦＩＤタグの取付構造は、腕時計用であって、別の取付対象や取付箇所にＲＦＩＤタグを取り付けるための構造を有しておらず、取付汎用性のあるものではない。また、複数のＲＦＩＤタグを腕時計のバンドに別々に取り付ける箇所を設けているだけで、その分、取付箇所が増えて広いスペースが必要になることから、小型化が困難である。さらに、重機、ドラム缶又は金型等、強い衝撃が加わりやすい対象にＲＦＩＤタグを取り付ける場合、衝撃が直接的にＲＦＩＤタグに加わると損傷するおそれがあるため、取付汎用性を有しながらも衝撃に対する耐環境性に優れた取付具が要望されている。
【０００６】
本発明は、上記従来技術の問題点を鑑みてなされたものであり、その目的は、複数のＲＦＩＤタグを取付可能で、取付汎用性に優れると共に小型化が可能であり、さらには耐衝撃性にも優れたＲＦＩＤ取付具を提供することである。
【課題を解決するための手段】
【０００７】
本発明は、前記課題を解決するために以下の構成を採用した。すなわち、本発明のＲＦＩＤタグ取付具は、互いに突き合わせた状態で固定可能な一対の分割部材と、前記一対の分割部材のそれぞれの突き合わせ面に形成されＲＦＩＤタグが挿入可能で前記分割部材を突き合わせた状態で前記ＲＦＩＤタグを収納可能な複数の収納穴とを備えていることを特徴とする。
【０００８】
このＲＦＩＤタグ取付具では、一対の分割部材のそれぞれの突き合わせ面に形成されＲＦＩＤタグが挿入可能で分割部材を突き合わせた状態でＲＦＩＤタグを収納可能な複数の収納穴を備えているので、一対の分割部材の中に複数のＲＦＩＤタグを収納することができ、全体的を小型化することが可能である。また、複数のＲＦＩＤタグは分割部材内に収納されるため、分割部材の外形状については設計自由度が高く、種々の取付箇所に対応した形状とすることが可能となる。また、突き合わせて固定された分割部材内にＲＦＩＤタグが完全に収納されているので、耐衝撃性にも優れている。なお、複数のＲＦＩＤタグを収納することができるので、例えば、周波数の異なるＲＦＩＤタグを同時に収納して取り付けることも可能である。
なお、取付対象が金属物であっても、ＲＦＩＤタグが分割部材内部に収納されており、収納穴外側がスペーサの役割をして、金属物からＲＦＩＤタグを若干離間させるので、金属物による電磁波吸収の影響が緩和され、通信性能の低下を抑制することができる。
【０００９】
また、本発明のＲＦＩＤタグ取付具は、複数の前記収納穴が、それぞれ異なる形状のＲＦＩＤタグを収納可能であることを特徴とする。すなわち、このＲＦＩＤタグ取付具では、異なる形状のＲＦＩＤタグに対応した複数の収納穴を有するので、異なる形状のＲＦＩＤタグをそれぞれ同時に収納又は任意に選択して収納することができる。したがって、一つのＲＦＩＤタグ取付具で、多様なＲＦＩＤタグの取付に対応することができる。
【００１０】
さらに、本発明のＲＦＩＤタグ取付具は、複数の前記収納穴のうち、少なくとも一つがコイン型ＲＦＩＤタグを収納可能であると共に、少なくとも他の一つがスティック型ＲＦＩＤタグを収納可能であることを特徴とする。すなわち、このＲＦＩＤタグ取付具では、コイン型ＲＦＩＤタグ用の収納穴とスティック型ＲＦＩＤタグ用の収納穴とを有するので、取付対象や用途に応じてコイン型ＲＦＩＤタグとスティック型タグとを使い分けて取り付けることが可能になる。
【００１１】
また、本発明のＲＦＩＤタグ取付具は、前記分割部材の表面から前記収納穴に貫通する確認孔を備えていることを特徴とする。すなわち、このＲＦＩＤタグ取付具では、分割部材の表面から収納穴に貫通する確認孔を備えているので、収納穴にＲＦＩＤタグが収納された状態では、確認孔を通して内部のＲＦＩＤタグを確認することができ、ＲＦＩＤタグの有無の確認が容易となる。
【００１２】
また、本発明のＲＦＩＤタグ取付具は、前記一対の分割部材が、突き合わせた状態で上下面の少なくとも一方が平面になっていることを特徴とする。すなわち、このＲＦＩＤタグ取付具では、突き合わせ状態の分割部材における上下面の少なくとも一方が平面になっているので、取付対象の平面部分に平面の上下面の一方を密着させて取り付けることで、安定した固定が可能になる。
【００１３】
また、本発明のＲＦＩＤタグ取付具は、前記一対の分割部材が、ゴム材で形成されていることを特徴とする。すなわち、このＲＦＩＤタグ取付具では、柔軟なゴム材で分割部材が構成されているので、ゴム材によって衝撃を吸収することでＲＦＩＤタグへの衝撃を緩和することができる。また、ゴム材で形成しているので、低コストで製造可能であると共に、取付対象の取付箇所が多少湾曲した面であっても、全体を取付面に沿って曲げることができ、密着状態で取り付けることができる。
【００１４】
さらに、本発明のＲＦＩＤタグ取付具は、前記ゴム材に、金属粉が混入されていることを特徴とする。すなわち、このＲＦＩＤタグ取付具では、金属粉が混入されたゴム材で形成されているので、取付対象が金属物であっても該金属物の電磁波吸収による影響を金属粉が抑制し、オンメタルタグ（登録商標）として、良好な情報通信を行うことができる。
【発明の効果】
【００１５】
本発明によれば、以下の効果を奏する。
すなわち、本発明に係るＲＦＩＤタグ取付具によれば、一対の分割部材のそれぞれの突き合わせ面に形成されＲＦＩＤタグが挿入可能で分割部材を突き合わせた状態でＲＦＩＤタグを収納可能な複数の収納穴を備えているので、分割部材の中に複数のＲＦＩＤタグの収納が可能になり、全体的に小型化することができると共に、分割部材の外形状については設計自由度が高いため、優れた取付汎用性を備えることができる。特に、ゴム材で形成することにより、取付対象の取付面に合わせて取り付けることができると共にＲＦＩＤタグへの衝撃を緩和可能である。したがって、一つの小型な取付具内に複数のＲＦＩＤタグを収納可能であると共に取付汎用性に優れ、さらには、重機やドラム缶などの厳しい環境下で用いられる取付対象にも取付可能になる。
【発明を実施するための最良の形態】
【００１６】
以下、本発明に係るＲＦＩＤタグ取付具の第１実施形態を、図１から図８を参照しながら説明する。
【００１７】
本実施形態のＲＦＩＤタグ取付具１は、図１から図５に示すように、互いに突き合わせた状態で固定可能なゴム材で形成された一対の分割部材２Ａ、２Ｂと、一対の分割部材２Ａ、２Ｂのそれぞれの突き合わせ面３に形成されＲＦＩＤタグ４ａ〜４ｃが挿入可能で分割部材２Ａ、２Ｂを突き合わせた状態でＲＦＩＤタグ４ａ〜４ｃを収納可能な３つの収納穴５ａ〜５ｃとを備えている。
上記ゴム材は、例えばシリコーン系ゴムであり、分割部材２Ａ、２Ｂは、このゴム材を用いて射出成形等により一体成形されて作製される。
【００１８】
上記一対の分割部材２Ａ、２Ｂは、互いに突き合わせた状態で略直方体形状となり、上下面が平面となっている。また、一対の分割部材２Ａ、２Ｂは、それぞれ突き合わせ面３の左右に形成された突出部６と、互いに突き合わせた状態で他方の分割部材２Ａ、２Ｂの突出部６がはめ込まれる切り欠き部７とを有している。上記突出部６には、上下に貫通する固定用貫通孔６ａが形成されている。
【００１９】
さらに、一対の分割部材２Ａ、２Ｂは、互いに突き合わせた状態で互いの突出部６が上下に配されるように設けられており、この突き合わせ状態で上下の固定用貫通孔６ａにおける中心軸が一致するようになっている。したがって、互いに突き合わせた状態で、上下に連通した固定用貫通孔６ａにボルト（図示略）を挿通することにより両分割部材２Ａ、２Ｂを固定することができる。
【００２０】
上記収納穴５ａ〜５ｃは、分割部材２Ａ、２Ｂの突き合わせ面３に上下に並んで形成されている。収納穴５ａは、直径２１．５ｍｍのコイン型のＲＦＩＤタグ４ａが収納可能な穴形状とされている。また、収納穴５ｂは、スティック側のＲＦＩＤタグ４ｂが収納可能な穴形状とされている。さらに、収納穴５ｃは、直径３０ｍｍのコイン型のＲＦＩＤタグ４ｃが収納可能な穴形状とされている。
【００２１】
なお、ＲＦＩＤタグ４ａ〜４ｃは、図３〜図５に示すように、同時に収納しても構わないと共に、図６〜図８に示すように、それぞれ単独で対応する収納穴５ａ〜５ｃに収納しても構わない。また、ＲＦＩＤタグ４ａ〜４ｃは、それぞれ周波数の異なるものとし、これらのうち２以上を任意に選択して同時に収納しても構わない。
【００２２】
一対の分割部材２Ａ、２Ｂには、突き合わせ面３に互いに対向した断面半円形状の切り欠き８ａ、８ｂが並んで形成され、これら切り欠き８ａ、８ｂは互いに突き合わせた際に表面から収納穴５ａ〜５ｃに貫通する確認孔９ａ、９ｂを形成する。確認孔９ａは、一対の分割部材２Ａ、２Ｂを突き合わせた状態において中心に配され上下を貫通するように形成されており、収納穴５ａ〜５ｃの全てに達している。また、確認孔９ｂは、確認孔９ａの両側に一対配され、収納穴５ａ、５ｃに達している。
【００２３】
取り付けるＲＦＩＤタグ４ａ〜４ｃには、リーダ／ライタとの間で電磁誘導又は電磁結合を利用して非接触でデータの交信を行うアンテナ（図示略）及びＩＣチップ（図示略）がＰＰＳ（ポリフェニレンサルファイド）樹脂等で封止されて内蔵されている。
本実施形態のＲＦＩＤタグ取付具１は、その下面を取付対象に密着させた状態で接着剤等により取付対象に接着固定する。なお、側部等にボルト用の貫通孔を設けてＲＦＩＤタグ取付具１を取付対象にボルト固定しても構わない。
【００２４】
本実施形態のＲＦＩＤタグ取付具１では、一対の分割部材２Ａ、２Ｂのそれぞれの突き合わせ面に形成されＲＦＩＤタグ４ａ〜４ｃが挿入可能で分割部材２Ａ、２Ｂを突き合わせた状態でＲＦＩＤタグ４ａ〜４ｃを収納可能な複数の収納穴５ａ〜５ｃ備えているので、一対の分割部材２Ａ、２Ｂの中にＲＦＩＤタグ４ａ〜４ｃの収納がそれぞれ可能になり、全体的を小型化することが可能である。
【００２５】
また、複数のＲＦＩＤタグ４ａ〜４ｃは分割部材２Ａ、２Ｂ内に収納されるため、分割部材２Ａ、２Ｂの外形状については制約が少なく設計自由度が高いため、種々の取付箇所に対応した形状とすることが可能となる。
なお、取付対象が金属物であっても、ＲＦＩＤタグ４ａ〜４ｃが分割部材２Ａ、２Ｂ内部に収納されており、収納穴５ａ〜５ｃの外側がスペーサの役割をして、金属物からＲＦＩＤタグ４ａ〜４ｃを若干離間させるので、金属物による電磁波吸収の影響が緩和され、通信性能の低下を抑制することができる。
【００２６】
また、異なる形状のＲＦＩＤタグ４ａ〜４ｃに対応した収納穴５ａ〜５ｃを有するので、異なる形状のＲＦＩＤタグ４ａ〜４ｃをそれぞれ同時に収納又は任意に選択して収納することができる。したがって、一つのＲＦＩＤタグ取付具１で、コイン型やスティック型の多様なＲＦＩＤタグ４ａ〜４ｃの取付に対応することができ、取付対象や用途に応じてＲＦＩＤタグ４ａ〜４ｃを使い分けて取り付けることが可能になる。
【００２７】
さらに、分割部材２Ａ、２Ｂの表面から収納穴５ａ〜５ｃに貫通する覗き孔として確認孔９ａ、９ｂを備えているので、収納穴５ａ〜５ｃにＲＦＩＤタグ４ａ〜４ｃが収納された状態では、確認孔９ａ、９ｂを通して内部のＲＦＩＤタグ４ａ〜４ｃを目視で確認することができ、ＲＦＩＤタグ４ａ〜４ｃの有無の確認が容易となる。
また、突き合わせ状態の分割部材２Ａ、２Ｂにおける上下面が段差等の無い平面になっているので、取付対象の平面部分に上下面の一方を密着させて取り付けることで、安定した固定が可能になる。
【００２８】
そして、柔軟なゴム材で分割部材２Ａ、２Ｂが構成されているので、ゴム材によって衝撃を吸収することでＲＦＩＤタグ４ａ〜４ｃへの衝撃を緩和することができる。また、ゴム材で形成しているので、低コストで製造可能であると共に、取付対象の取付箇所が多少湾曲した面であっても、全体を取付面に沿って曲げることができ、密着状態で取り付けることができる。
【００２９】
次に、本発明に係るＲＦＩＤタグ取付具の第２実施形態について、以下に説明する。なお、以下の実施形態の説明において、上記実施形態において説明した同一の構成要素には同一の符号を付し、その説明は省略する。
【００３０】
第２実施形態と第１実施形態との異なる点は、第１実施形態のＲＦＩＤタグ取付具１では、シリコーン系ゴムにより一体成形されているのに対し、第２実施形態のＲＦＩＤタグ取付具では、金属粉が混入されたシリコーン系ゴムにより一体成形されている点である。すなわち、この第２実施形態のＲＦＩＤタグ取付具は、金属物を取付対象としても良好な通信性能が得られるように、例えばＣｒ等の金属粉をゴム材に６０重量％混入して形成されたものである。
【００３１】
このように第２実施形態のＲＦＩＤタグ取付具では、金属粉が混入されたゴム材で形成されているので、取付対象が金属物であっても該金属物の電磁波吸収による影響を金属粉が抑制し、オンメタルタグ（登録商標）として、良好な情報通信を行うことができる。
【００３２】
なお、本発明は上記各実施形態に限定されるものでなく、本発明の趣旨を逸脱しない範囲において種々の変更を加えることができる。
【００３３】
例えば、上記各実施形態では、分割部材２Ａ、２Ｂを突き合わせた状態で全体が略長方形状となるように形成されているが、他の形状となるように形成しても構わない。例えば、全体が円盤状や楕円形板状になるように一対の分割部材を成形してよい。
また、上記各実施形態では、収納穴５ａ〜５ｃはそれぞれ異なるＲＦＩＤタグ４ａ〜４ｃを収納可能な異なる穴形状を有しているが、同一形状のＲＦＩＤタグに対応した同一形状の穴形状を採用しても構わない。
【図面の簡単な説明】
【００３４】
【図１】本発明に係る第１実施形態のＲＦＩＤタグ取付具において、一対の分割部材を示す分離状態での斜視図である。
【図２】第１実施形態に係るＲＦＩＤタグ取付具において、分割部材を示す突き合わせ面側の側面図である。
【図３】第１実施形態に係るＲＦＩＤタグ取付具において、ＲＦＩＤタグ４ａ〜４ｃを全て一方の分割部材の収納穴に差し込んだ状態での斜視図である。
【図４】第１実施形態に係るＲＦＩＤタグ取付具において、ＲＦＩＤタグ４ａ〜４ｃを全て収納した状態での上面図である。
【図５】第１実施形態に係るＲＦＩＤタグ取付具において、ＲＦＩＤタグ４ａ〜４ｃを全て一方の分割部材の収納穴に差し込んだ状態で一対の分割部材を示す分離状態での正面図である。
【図６】第１実施形態に係るＲＦＩＤタグ取付具において、ＲＦＩＤタグ４ａのみを一方の分割部材の収納穴に差し込んだ状態を示す斜視図である。
【図７】第１実施形態に係るＲＦＩＤタグ取付具において、ＲＦＩＤタグ４ｂのみを一方の分割部材の収納穴に差し込んだ状態を示す斜視図である。
【図８】第１実施形態に係るＲＦＩＤタグ取付具において、ＲＦＩＤタグ４ｃのみを一方の分割部材の収納穴に差し込んだ状態を示す斜視図である。
【符号の説明】
【００３５】
１…ＲＦＩＤタグ取付具、２Ａ、２Ｂ…分割部材、３…突き合わせ面、４ａ〜４ｃ…ＲＦＩＤタグ、５ａ〜５ｃ…収納穴、９ａ、９ｂ…確認孔
【図１】
2008146125.tif 000003
【図２】
2008146125.tif 000004
【図３】
2008146125.tif 000005
【図４】
2008146125.tif 000006
【図５】
2008146125.tif 000007
【図６】
2008146125.tif 000008
【図７】
2008146125.tif 000009
【図８】
2008146125.tif 000010